(57)【要約】【課題】電波を用いたセンサ部で使用者を検知する場合の、水に起因する誤検知を抑制し、使用者の検知精度を向上させた洗面化粧台を提供する。【解決手段】オーバーフロー口を有するボウル部と、吐水口を有し、前記吐水口から前記ボウル部に水を吐出する吐水部と、放射した電波の反射波に基づいて被検知体を検知するセンサ部と、前記センサ部の検知結果に応じて作動する駆動部と、を備え、前記センサ部の前記被検知体の検知領域は、前記吐水口から吐出される水の軌跡の領域、及び前記ボウル部内の前記オーバーフロー口よりも下方の領域を含まないことを特徴とする洗面化粧台である。【選択図】図２
2018059279.tif 000002
【特許請求の範囲】
【請求項１】
オーバーフロー口を有するボウル部と、
吐水口を有し、前記吐水口から前記ボウル部に水を吐出する吐水部と、
放射した電波の反射波に基づいて被検知体を検知するセンサ部と、
前記センサ部の検知結果に応じて作動する駆動部と、
を備え、
前記センサ部の前記被検知体の検知領域は、前記吐水口から吐出される水の軌跡の領域、及び前記ボウル部内の前記オーバーフロー口よりも下方の領域を含まないことを特徴とする洗面化粧台。
【請求項２】
前記センサ部は、前記吐水口よりも上方に配置されていることを特徴とする請求項１記載の洗面化粧台。
【請求項３】
前記ボウル部よりも上方に配置された鏡をさらに備え、
前記センサ部は、前記鏡の直下に配置されていることを特徴とする請求項１又は２に記載の洗面化粧台。
【請求項４】
前記センサ部の前記検知領域の中心軸線は、水平方向から上向きの０°以上９０°以下の範囲に設定されることを特徴とする請求項１〜３のいずれか１つに記載の洗面化粧台。
【請求項５】
前記ボウル部よりも上方に配置されたパネル部をさらに備え、
前記センサ部は、前記パネル部の内部に設けられ、
前記パネル部の少なくとも一部は、着脱可能であることを特徴とする請求項１〜４のいずれか１つに記載の洗面化粧台。
【発明の詳細な説明】
【技術分野】
【０００１】
本発明の態様は、一般的に、洗面化粧台に関する。
【背景技術】
【０００２】
例えばマイクロ波センサなど電波を用いたセンサ部によって使用者を検知し、センサ部の検知結果に応じて照明などの駆動部を動作させる洗面化粧台がある（例えば、特許文献１）。
【０００３】
こうした洗面化粧台において、例えば、洗濯のためボウル部内に水を溜めたりする際など、使用者が水を吐出させたまま洗面化粧台の前を離れる場合がある。このような場合に、電波を用いたセンサ部では、吐水口から吐出される水流の動きやボウル部内に溜められた水の水面の揺らぎなどといった水の動きを検知し、使用者が滞在していると誤って判定してしまう可能性がある。
【０００４】
すなわち、センサ部の検知領域内に水が存在すると、センサ部が水の動きを検知して、使用者がいなくなったことが分からなくなってしまう可能性がある。また、上記のような誤検知を抑制するために、センサ部の検知領域を狭めると、洗面化粧台に接近する使用者を検知しづらくなってしまう。
【０００５】
このため、洗面化粧台では、電波を用いたセンサ部で使用者を検知する場合に、水に起因する誤検知を抑制し、使用者の検知精度を向上させることが望まれる。
【先行技術文献】
【特許文献】
【０００６】
【特許文献１】実開昭６３−１０３４９２号公報
【発明の概要】
【発明が解決しようとする課題】
【０００７】
本発明は、かかる課題の認識に基づいてなされたものであり、電波を用いたセンサ部で使用者を検知する場合の、水に起因する誤検知を抑制し、使用者の検知精度を向上させた洗面化粧台を提供することを目的とする。
【課題を解決するための手段】
【０００８】
第１の発明は、オーバーフロー口を有するボウル部と、吐水口を有し、前記吐水口から前記ボウル部に水を吐出する吐水部と、放射した電波の反射波に基づいて被検知体を検知するセンサ部と、前記センサ部の検知結果に応じて作動する駆動部と、を備え、前記センサ部の前記被検知体の検知領域は、前記吐水口から吐出される水の軌跡の領域、及び前記ボウル部内の前記オーバーフロー口よりも下方の領域を含まないことを特徴とする洗面化粧台である。
【０００９】
この洗面化粧台によれば、センサ部の被検知体の検知領域が、吐水口から吐出される水の軌跡の領域、及びボウル部内のオーバーフロー口よりも下方の領域を含まないので、吐水口から吐出された水やボウル部内に溜められた水の水面の揺らぎなどをセンサ部が検知してしまうことを抑制することができる。これにより、センサ部の検知結果に応じて作動する駆動部が、吐水や水溜めに起因する誤動作を起こしてしまうことを抑制することができる。また、上記のように検知領域を設定することにより、検知領域が過度に狭くなることもない。従って、電波を用いたセンサ部で使用者を検知する場合の、水に起因する誤検知を抑制し、使用者の検知精度を向上させた洗面化粧台を提供することができる。
【００１０】
第２の発明は、第１の発明において、前記センサ部は、前記吐水口よりも上方に配置されていることを特徴とする洗面化粧台である。
【００１１】
この洗面化粧台によれば、センサ部が吐水口よりも上方に配置されているため、電波が透過するセンサ部の前方の壁面などに水滴が付着してしまうことを抑制することができる。従って、壁面を伝う水滴によってセンサ部が誤検知を起こしてしまうことを抑制することができる。使用者の検知精度をより向上させることができる。
【００１２】
第３の発明は、第１又は第２の発明において、前記ボウル部よりも上方に配置された鏡をさらに備え、前記センサ部は、前記鏡の直下に配置されていることを特徴とする洗面化粧台である。
【００１３】
この洗面化粧台によれば、センサ部が鏡の直下に設けられているため、鏡の前方下方付近に検知領域が形成される。これにより、吐水や水溜めによるセンサ部の誤検知を抑制しつつ、鏡を覗き込む使用者をより確実に検知することができる。
【００１４】
第４の発明は、第１〜第３のいずれか１つの発明において、前記センサ部の前記検知領域の中心軸線は、水平方向から上向きの０°以上９０°以下の範囲に設定されることを特徴とする洗面化粧台である。
【００１５】
この洗面化粧台によれば、センサ部の検知領域の中心軸線が、水平方向から上向きの０°以上９０°以下の範囲に設定されるので、検知領域の水平方向の最大距離を短くすることができる。これにより、洗面化粧台から比較的遠い場所にいる人などを検知してしまうことを抑制することができる。例えば、洗面化粧台の前方を通過する人など、洗面化粧台を使用する意図のない人を検知して駆動部が作動してしまうことを抑制することができる。
【００１６】
第５の発明は、第１〜第４のいずれか１つの発明において、前記ボウル部よりも上方に配置されたパネル部をさらに備え、前記センサ部は、前記パネル部の内部に設けられ、前記パネル部の少なくとも一部は、着脱可能であることを特徴とする洗面化粧台である。
【００１７】
この洗面化粧台によれば、センサ部が設けられているパネル部の少なくとも一部が着脱可能に構成されているので、パネル部の少なくとも一部を取り外すことにより、センサ部のメンテナンスを容易に行うことができる。
【発明の効果】
【００１８】
本発明の態様によれば、電波を用いたセンサ部で使用者を検知する場合の、水に起因する誤検知を抑制し、使用者の検知精度を向上させた洗面化粧台が提供される。
【図面の簡単な説明】
【００１９】
【図１】第１の実施形態に係る洗面化粧台を表す正面図である。
【図２】第１の実施形態に係る洗面化粧台を表す側面図である。
【図３】第１の実施形態に係る洗面化粧台を表す側面図である。
【図４】第１の実施形態に係る洗面化粧台の電気的構成を表すブロック図である。
【図５】第１の実施形態に係る洗面化粧台を表す側面図である。
【図６】第２の実施形態に係る洗面化粧台を表す側面図である。
【図７】第３の実施形態に係る洗面化粧台を表す側面図である。
【図８】第３の実施形態に係る洗面化粧台を表す正面図である。
【図９】第３の実施形態に係る洗面化粧台を表す側面図である。
【発明を実施するための形態】
【００２０】
以下、本発明の実施の形態について図面を参照しつつ説明する。なお、各図面中、同様の構成要素には同一の符号を付して詳細な説明は適宜省略する。  
（第１の実施形態）  
図１は、第１の実施形態に係る洗面化粧台を表す正面図である。  
図２及び図３は、第１の実施形態に係る洗面化粧台を表す側面図である。  
図１〜図３に表したように、洗面化粧台１０は、洗面器１２と、水栓装置１４と、支持台１６と、センサ部１８と、鏡２０と、照明装置２２（駆動部）と、を備える。なお、図３では、洗面器１２の一部を便宜的に省略した断面図として表している。
【００２１】
以下、本願明細書において、「上」、「下」、「右」および「左」という記載は、洗面化粧台１０の前で洗面化粧台１０を見た人を基準とした上、下、右および左をそれぞれいう。また、本願明細書においては、洗面化粧台１０から、洗面化粧台１０の前に居る人へ向かう方向を「前」方向とし、その逆方向を「後」方向とする。
【００２２】
洗面器１２は、ボウル部２４と、バックガード部２６と、を有する。ボウル部２４は、下方に向かって凹んだ凹状に形成されている。ボウル部２４は、排水口２８と、オーバーフロー口３０と、を有する。排水口２８は、ボウル部２４の底部に設けられる。排水口２８は、図示を省略した排水管に接続され、ボウル部２４に吐出された水を排水管に流す。ボウル部２４は、排水口２８に向かって下方へ傾斜した排水勾配を有する。排水口２８には、例えば、上下方向に昇降することにより排水口２８を開閉する排水栓３２が設けられる。排水口２８は、排水栓３２に限ることなく、例えば、ゴム栓などで塞げるようにしてもよい。
【００２３】
オーバーフロー口３０は、ボウル部２４内の上部に設けられている。オーバーフロー口３０は、洗面器１２の内部に設けられた排水経路を介して排水管と接続される。オーバーフロー口３０は、排水栓３２で排水口２８を塞ぎ、ボウル部２４内に水を溜める際に、オーバーフロー口３０に達した水を排水管に流すことにより、ボウル部２４から水が溢れることを抑制する。
【００２４】
バックガード部２６は、ボウル部２４の後端から上方に延びる。バックガード部２６は、必要に応じて設けられ、省略可能である。洗面器１２の形状は、少なくともボウル部２４を有する任意の形状でよい。
【００２５】
洗面器１２は、支持台１６の上に設けられる。支持台１６は、洗面器１２を支持する。支持台１６は、例えば、引き出しや扉などを有し、内部の空間に物品を収納可能なキャビネットとしても機能する。支持台１６は、換言すれば、下部キャビネット（フロアキャビネット）である。支持台１６は、必ずしも収納機能を有していなくてもよい。支持台１６は、洗面器１２を支持可能な任意の構成でよい。また、洗面器１２は、例えば、洗面所などの壁面に直接取り付けてもよい。すなわち、支持台１６は、必要に応じて設けられ、省略可能である。
【００２６】
水栓装置１４は、洗面器１２のバックガード部２６の上に設けられる。水栓装置１４は、本体部４０と、吐水部４２と、操作部４４と、を有する。本体部４０は、例えば、略矩形の箱状であり、内部の空間に給水管や給湯管などを収容する。吐水部４２は、本体部４０に設けられる。吐水部４２は、吐水口４２ａを有し、吐水口４２ａからボウル部２４に水を吐出する。操作部４４は、本体部４０に設けられる。操作部４４は、使用者の操作に応じて吐水部４２からの水の吐止水を切り替える。また、操作部４４は、例えば、吐水部４２からの水の吐止水を切り替えるとともに、吐水部４２から吐出される水の流量、及び吐水部４２から吐出される水の温度を切り替える。
【００２７】
操作部４４は、例えば、レバー状である。操作部４４を前後方向に揺動させることにより、吐水部４２からの水の吐止水、及び水の流量が切り替えられる。そして、操作部４４を左右方向に揺動させることにより、吐水部４２から吐出される水の温度が切り替えられる。操作部４４は、レバー状に限ることなく、例えば、回転するハンドル状などでもよい。また、吐水部４２から吐出される水の流量及び温度は、それぞれ別の操作部で調整してもよい。
【００２８】
吐水部４２及び操作部４４は、例えば、洗面器１２のバックガード部２６やボウル部２４の周囲のリム面などに設けてもよい。吐水部４２は、ボウル部２４に水を吐出可能な任意の構成でよい。操作部４４は、少なくとも吐水部４２からの水の吐止水を切り替え可能な任意の構成でよい。
【００２９】
センサ部１８は、前方に向かって電波を放射し、放射した電波の反射波に基づいて被検知体ＯＢＪを検知する。センサ部１８は、使用者などの人体を被検知体ＯＢＪとして検知する。センサ部１８は、換言すれば、人体検知センサである。
【００３０】
センサ部１８は、例えば、マイクロ波センサである。センサ部１８は、マイクロ波を送信し、使用者などの被検知体ＯＢＪで反射した反射波を受信し、送信波と受信波との位相差や周波数差を計測することにより、物体が電波センサ１８に対して接近方向か離れる方向かのどちらに移動しているかや物体の移動速度などを検知する。
【００３１】
センサ部１８の送信するマイクロ波の周波数はＧＨｚ（ギガヘルツ）帯が好ましく、例えば、１０．５０ＧＨｚ以上１０．５５ＧＨｚ以下である。
【００３２】
センサ部１８は、水栓装置１４の本体部４０の内部に設けられる。本体部４０に例えば樹脂材料が用いられている場合、センサ部１８から放射された電波は、本体部４０を透過可能である。従って、電波を透過させるための窓などを本体部４０に設ける必要が無く、洗面化粧台１０の意匠性を高めることができる。なお、本体部４０は樹脂材料に限られず、センサ部１８からの電波を透過する材料であればよく、例えば陶器材料などであってもよい。
【００３３】
センサ部１８は、例えば、吐水部４２の吐水口４２ａよりも上方に配置される。センサ部１８の位置は、上記に限ることなく、被検知体ＯＢＪ（使用者）を適切に検知可能な任意の位置でよい。
【００３４】
鏡２０は、水栓装置１４の上に設けられている。このように、鏡２０は、ボウル部２４よりも上方に配置される。これにより、洗面化粧台１０を利用する使用者が、水栓装置１４で手洗いなどを行いつつ、自身の姿を確認することができる。
【００３５】
洗面化粧台１０は、例えば、水栓装置１４の上に設けられた支持部４６をさらに備える。鏡２０は、この支持部４６の前面に取り付けられている。鏡２０は、例えば、一面鏡である。支持部４６は、例えば、内部に物品を収納可能なキャビネットとしてもよい。鏡２０は、例えば、キャビネットの扉の前面に設けてもよい。すなわち、鏡２０及び支持部４６は、いわゆるミラーキャビネットでもよい。
【００３６】
上記のように、センサ部１８は、水栓装置１４の本体部４０の内部に設けられ、鏡２０は、水栓装置１４の上に設けられる。すなわち、センサ部１８は、鏡２０の直下に配置されている。換言すれば、センサ部１８は、上下方向において、吐水部４２の吐水口４２ａと鏡２０との間の領域に配置される。ここで、「鏡２０の直下」とは、例えば、鏡２０を前方側から見た状態（鏡２０と正対した状態）において、センサ部１８と鏡２０との間の上下方向の距離Ｄ１（図１参照）が、３０ｃｍ以下の状態であり、より好ましくは、２０ｃｍ以下の状態である。
【００３７】
照明装置２２は、支持部４６の上に設けられている。すなわち、照明装置２２は、鏡２０の上に設けられている。照明装置２２は、例えば、前方及び下方に向けて光を照射し、鏡２０、ボウル部２４、及び洗面化粧台１０の前方に立つ使用者などを照明する。
【００３８】
照明装置２２は、センサ部１８の検知結果に応じて作動する。照明装置２２は、センサ部１８の検知に応じて点灯し、センサ部１８の非検知に応じて消灯する。すなわち、照明装置２２は、使用者の洗面化粧台１０への接近に応じて自動的に点灯し、使用者の洗面化粧台１０から離れる動きに応じて自動的に消灯する。これにより、使用者による点灯の操作の手間を省き、洗面化粧台１０の使い勝手を向上させることができる。また、照明装置２２の消し忘れにともなう無駄な消費電力の発生を抑制することができる。
【００３９】
照明装置２２は、例えば、スイッチなどにより、手動で点灯・消灯を切り替えられるようにしてもよい。また、例えば、センサ部１８の検知結果に基づく自動的な点灯・消灯の切り替えと、スイッチ操作などによる手動の点灯・消灯の切り替えとを選択的に切り替えられるようにしてもよい。
【００４０】
図２及び図３に表したように、センサ部１８の被検知体ＯＢＪの検知領域ＤＲは、吐水口４２ａから吐出される水の軌跡の第１領域Ｒ１、及びボウル部２４内のオーバーフロー口３０よりも下方の第２領域Ｒ２を含まない。すなわち、検知領域ＤＲは、吐水口４２ａから吐出される水、及びボウル部２４内に溜められた水と重ならない。検知領域ＤＲは、例えば、第１領域Ｒ１及び第２領域Ｒ２よりも上方に形成される。
【００４１】
検知領域ＤＲとは、換言すれば、センサ部１８の有効電波領域である。センサ部１８は、電波放射方向に向けて電波を放射し、被検知体ＯＢＪの検知領域ＤＲである有効電波領域を形成する。この有効電波領域は、例えば、電波放射方向に沿って延びる略楕円形状断面の指向性パターンを有する。換言すれば、有効電波領域は、略楕円球状である。被検知体ＯＢＪが有効電波領域内に存在しない間は、センサ部１８は、有意な大きさの信号（例えばドップラ信号）を出力しないため、被検知体ＯＢＪが検知されない。一方、被検知体ＯＢＪが有効電波領域内に存在すると、センサ部１８は、有意な大きさの信号を出力するため、この信号に基づいて被検知体ＯＢＪの動きが検知される。
【００４２】
検知領域ＤＲは、例えば、センサ部１８から出力される電波の指向性のパターン、電波の強度、及び検知・非検知を判定する反射波の閾値などによって設定される。また、検知領域ＤＲは、例えば、電波に対して人体に近い反射特性を有する対象物を徐々にセンサ部１８に近付けていき、センサ部１８が非検知状態から検知状態に切り替わる境界を求めることによって測定することができる。
【００４３】
水栓装置１４が吐水口４２ａから吐出される水の流量の調整機能を有している場合、第１領域Ｒ１は、例えば、吐水口４２ａから吐出される水の最大の流量における軌跡の領域である。第１領域Ｒ１は、例えば、吐水口４２ａから吐出される水の最小の流量から最大の流量までの全ての軌跡を含む領域としてもよい。
【００４４】
図４は、第１の実施形態に係る洗面化粧台の電気的構成を表すブロック図である。  
図４に表したように、センサ部１８は、送信部５０と、受信部５２と、差分検出部５４と、を有する。送信部５０は、洗面化粧台１０の前方に向けて電波を放射する。この際、送信部５０は、前述のように、検知領域ＤＲが第１領域Ｒ１及び第２領域Ｒ２に入らないように、前方に電波を放射する。
【００４５】
受信部５２は、放射した電波の反射波を受信し、反射波の強度に応じた信号を差分検出部５４に入力する。差分検出部５４は、送信部５０から送信した送信波と、受信部５２で受信された受信波との差分信号（例えばドップラー信号）を求める。
【００４６】
洗面化粧台１０は、制御装置６０をさらに有する。制御装置６０は、センサ部１８及び照明装置２２と電気的に接続されている。制御装置６０は、センサ部１８の検知結果に応じて照明装置２２を作動させる。すなわち、制御装置６０は、センサ部１８の検知結果に応じて照明装置２２の点灯・消灯を制御する。
【００４７】
制御装置６０は、信号受信部６２と、判定部６４と、を有する。信号受信部６２は、差分検出部５４と電気的に接続されている。信号受信部６２は、差分検出部５４から差分信号を受信する。換言すれば、差分検出部５４は、差分信号をセンサ部１８の検知結果として出力する。信号受信部６２は、受信した差分信号を判定部６４に入力する。
【００４８】
判定部６４は、差分信号が所定の閾値以上か否かを判定する。判定部６４は、例えば、差分信号の振幅が所定の閾値以上か否かを判定する。判定部６４は、差分信号が所定の閾値以上である場合に、被検知体ＯＢＪが検知領域ＤＲ内に存在すると判定し、差分信号が所定の閾値未満である場合に、被検知体ＯＢＪが検知領域ＤＲ内に存在していないと判定する。判定部６４は、照明装置２２と電気的に接続されている。判定部６４は、判定結果を照明装置２２に入力する。
【００４９】
照明装置２２は、光源部６６と、照明制御部６８と、を有する。光源部６６は、例えば、電球、蛍光灯、又は発光素子などの光源を有する。光源部６６は、電力供給に応じて光源を点灯させることにより、光を照射する。例えば、ＬＥＤ（Light Emitting Diode）などの発光素子を光源として用いる場合には、複数の光源が光源部６６に設けられる。
【００５０】
照明制御部６８は、判定部６４及び光源部６６と電気的に接続されている。照明制御部６８は、判定部６４の判定結果に応じて光源部６６への電力供給を制御する。すなわち、照明制御部６８は、被検知体ＯＢＪが存在すると判定された場合に、光源部６６に電力を供給して光源部６６を点灯させ、被検知体ＯＢＪが存在していないと判定された場合に、光源部６６への電力供給を停止して光源部６６を消灯させる。これにより、照明装置２２が、センサ部１８の検知結果に応じて作動する。
【００５１】
以上、説明したように、本実施形態に係る洗面化粧台１０では、センサ部１８の被検知体ＯＢＪの検知領域ＤＲが、吐水口４２ａから吐出される水の軌跡の第１領域Ｒ１、及びボウル部２４内のオーバーフロー口３０よりも下方の第２領域Ｒ２を含まないので、吐水口４２ａから吐出された水やボウル部２４内に溜められた水の水面の揺らぎなどをセンサ部１８が検知してしまうことを抑制することができる。これにより、センサ部１８の検知結果に応じて作動する照明装置２２が、吐水や水溜めに起因する誤動作を起こしてしまうことを抑制することができる。
【００５２】
例えば、吐水口４２ａから水を吐出し、ボウル部２４に水溜めを行っている状態で使用者が洗面化粧台１０から離れた場合に、センサ部１８が誤検知を起こして照明装置２２が点灯したままになってしまうことを抑制することができる。
【００５３】
また、上記のように検知領域ＤＲを設定することにより、検知領域ＤＲが過度に狭くなることもない。従って、電波を用いたセンサ部１８で使用者を検知する場合の、水に起因する誤検知を抑制し、使用者の検知精度を向上させた洗面化粧台１０を提供することができる。
【００５４】
また、洗面化粧台１０では、センサ部１８が吐水口４２ａよりも上方に配置されているため、電波が透過するセンサ部１８の前方の壁面などに水滴が付着してしまうことを抑制することができる。例えば、センサ部１８が内部に設けられた水栓装置１４の本体部４０において、センサ部１８の前方の前面に水滴が付着してしまうことを抑制することができる。従って、壁面を伝う水滴によってセンサ部１８が誤検知を起こしてしまうことを抑制することができる。使用者の検知精度をより向上させることができる。
【００５５】
図５は、第１の実施形態に係る洗面化粧台を表す側面図である。  
本実施形態に係る洗面化粧台１０では、センサ部１８が鏡２０の直下に設けられているため、鏡２０の前方下方付近に検知領域ＤＲが形成される。これにより、吐水や水溜めによるセンサ部１８の誤検知を抑制しつつ、図５に表したように、鏡２０を覗き込む使用者をより確実に検知することができる。
【００５６】
（第２の実施形態）  
図６は、第２の実施形態に係る洗面化粧台を表す側面図である。  
図６に表したように、洗面化粧台１００では、センサ部１８の検知領域ＤＲの中心軸線ＣＡが、水平方向ＨＤに対して上方向に傾斜している。なお、上記第１の実施形態と機能・構成上実質的に同じものについては、同符号を付し、詳細な説明は省略する。
【００５７】
中心軸線ＣＡは、水平方向ＨＤから上向きの０°以上９０°以下の範囲に設定される。換言すれば、水平方向ＨＤと中心軸線ＣＡとの成す角度θは、上向きに０°以上９０°以下である。
【００５８】
なお、中心軸線ＣＡとは、例えば、検知領域ＤＲにおいてセンサ部１８の中心から最も遠い点と、センサ部１８の中心とを結ぶ仮想線である。検知領域ＤＲにおいてセンサ部１８の中心から最も遠い点とは、すなわち検知領域ＤＲの中で電波強度の最も強い部分である。中心軸線ＣＡは、換言すれば、センサ部１８の極大指向方向である。
【００５９】
このように、本実施形態に係る洗面化粧台１００では、センサ部１８の検知領域ＤＲの中心軸線ＣＡが、水平方向ＨＤから上向きの０°以上９０°以下の範囲に設定されるので、検知領域ＤＲの水平方向ＨＤの最大距離を短くすることができる。これにより、洗面化粧台１００から比較的遠い場所にいる人などを検知してしまうことを抑制することができる。例えば、洗面化粧台１００の前方を通過する人など、洗面化粧台１００を使用する意図のない人を検知して照明装置２２が作動してしまうことを抑制することができる。例えば、意図せず照明装置２２が点灯してしまうことを抑制することができる。
【００６０】
水平方向ＨＤと中心軸線ＣＡとの成す角度θは、より好ましくは、５°以上４５°以下である。これにより、洗面化粧台１００から比較的遠い場所にいる人などの検知を抑制することができると共に、中心軸線ＣＡが過度に上向きに傾斜することを抑制することができ、使用者の検知精度をより向上させることができる。
【００６１】
（第３の実施形態）  
図７は、第３の実施形態に係る洗面化粧台を表す側面図である。  
図８は、第３の実施形態に係る洗面化粧台を表す正面図である。  
図９は、第３の実施形態に係る洗面化粧台を表す側面図である。  
図７〜図９に表したように、洗面化粧台１１０では、水栓装置１４の本体部４０が、パネル部１１２を有する。パネル部１１２は、パネル本体１１３と、前面パネル１１４と、を有する。パネル本体１１３は、前方を開口させた開口箱状である。前面パネル１１４は、パネル本体１１３に着脱可能に取り付けられ、パネル本体１１３の前方の開口を塞ぐ。なお、図７は、前面パネル１１４がパネル本体１１３に取り付けられた状態を表し、図８及び図９は、前面パネル１１４がパネル本体１１３から取り外された状態を表している。
【００６２】
センサ部１８は、パネル部１１２の内部に設けられる。より詳しくは、センサ部１８は、パネル本体１１３の内部に設けられる。前面パネル１１４は、パネル本体１１３に取り付けられた状態において、センサ部１８の前方を覆う。換言すれば、前面パネル１１４は、パネル本体１１３から取り外された状態において、パネル本体１１３内に設けられたセンサ部１８を露呈させる。
【００６３】
このように、本実施形態に係る洗面化粧台１１０では、センサ部１８が設けられているパネル部１１２の前面パネル１１４が着脱可能に構成されているので、前面パネル１１４を取り外すことにより、図９に表したように、センサ部１８のメンテナンスを容易に行うことができる。
【００６４】
パネル部１１２において着脱可能に構成される部分は、前面パネル１１４に限ることなく、例えば、側面パネルなどでもよい。パネル部１１２において着脱可能に構成される部分は、取り外すことでセンサ部１８のメンテナンスが容易になるパネル部１１２の任意の部位でよい。例えば、パネル部１１２の略全体が外れる構成としてもよい。すなわち、パネル部１１２において着脱可能に構成される部分は、パネル部１１２の少なくとも一部でよい。
【００６５】
上記実施形態では、水栓装置１４の本体部４０を構成するパネル部１１２内にセンサ部１８を設けた例を示している。センサ部１８を設けるパネル部は、水栓装置１４のパネル部１１２に限ることなく、他の部分のパネル部でもよい。例えば、鏡２０を支持する支持部４６を、センサ部１８を収容するパネル部として用いてもよい。
【００６６】
上記各実施形態では、センサ部１８の検知結果に応じて作動する駆動部として、照明装置２２を示している。駆動部は、照明装置２２に限ることなく、センサ部１８の検知結果に応じて動作する装置であれば、その他の装置でもよい。例えば、使用者の検知に応じて装置を作動させ、使用者の非検知に応じて装置の作動を停止させてもよい。
【００６７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台１０、１００、１１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６８】
１０、１００、１１０ 洗面化粧台、  １２ 洗面器、  １４ 水栓装置、  １６ 支持台、  １８ センサ部、  ２０ 鏡、  ２２ 照明装置（駆動部）、  ２４ ボウル部、  ２６ バックガード部、  ２８ 排水口、  ３０ オーバーフロー口、  ３２ 排水栓、  ４０ 本体部、  ４２ 吐水部、  ４４ 操作部、  ４６ 支持部、  ５０ 送信部、  ５２ 受信部、  ５４ 差分検出部、  ６０ 制御装置、  ６２ 信号受信部、  ６４ 判定部、  ６６ 光源部、  ６８ 照明制御部、  １１２ パネル部、  １１３ パネル本体、  １１４ 前面パネル
【図１】
2018059279.tif 000003
【図２】
2018059279.tif 000004
【図３】
2018059279.tif 000005
【図４】
2018059279.tif 000006
【図５】
2018059279.tif 000007
【図６】
2018059279.tif 000008
【図７】
2018059279.tif 000009
【図８】
2018059279.tif 000010
【図９】
2018059279.tif 000011